(57)【要約】【課題】光学素子としてのレンズを位置調整した後、衝撃等が加わった場合でも安定してレンズの位置を保持できるレンズ鏡筒およびレンズ鏡筒へのレンズ組立て方法を提供する。【解決手段】レンズ鏡筒で、光学素子としてのレンズを保持する嵌合部を備え、前記嵌合部には周方向で周辺領域より肉厚が薄い複数の領域が設けられ、前記肉厚が薄い複数の領域に結合用の孔部が備わる鏡筒と、前記肉厚が薄い複数の領域と前記レンズとの間の空隙に設けられ、前記孔部に挿入される結合部材により前記レンズと当接されるコマ部材と、前記コマ部材を前記レンズの光軸方向に保持する押え環と、を有する。【選択図】図１
2015081922.tif 000002
【特許請求の範囲】
【請求項１】
光学素子としてのレンズを保持する嵌合部を備え、前記嵌合部には周方向で周辺領域より肉厚が薄い複数の領域が設けられ、前記肉厚が薄い複数の領域に結合用の孔部が備わる鏡筒と、
前記肉厚が薄い複数の領域と前記レンズとの間の空隙に設けられ、前記孔部に挿入される結合部材により前記レンズと当接されるコマ部材と、
前記コマ部材を前記レンズの光軸方向に保持する押え環と、
を有することを特徴とするレンズ鏡筒。
【請求項２】
前記押え環は、前記レンズを光軸方向に保持することを特徴とする請求項１に記載のレンズ鏡筒。
【請求項３】
前記押え環は、複数の前記レンズを光軸方向に保持することを特徴とすることを特徴とする請求項２に記載のレンズ鏡筒。
【請求項４】
前記コマ部材は、樹脂で形成されていることを特徴とする請求項１乃至３のいずれか１項に記載のレンズ鏡筒。
【請求項５】
前記コマ部材は、前記結合部材と当接する箇所に金属部材が一体的に固定されていることを特徴とした請求項４に記載のレンズ鏡筒。 
【請求項６】
前記コマ部材は、可撓性の接続部を介して円環部に一体的に接続されることを特徴とする請求項１乃至５のいずれか１項に記載のレンズ鏡筒。 
【請求項７】
前記円環部は、樹脂で形成されていることを特徴とする請求項６に記載のレンズ鏡筒。
【請求項８】
前記嵌合部と前記レンズとの間にレンズ間隔調整のための円環状のシート部材を有することを特徴とする請求項１乃至７のいずれか１項に記載のレンズ鏡筒。
【請求項９】
前記鏡筒には、複数の前記嵌合部により複数の前記レンズが保持されることを特徴とする請求項１乃至８のいずれか１項に記載のレンズ鏡筒。
【請求項１０】
前記レンズの光学特性として必要な研磨面、または研磨面以外の外周部の面取り部が、前記押え環または前記押え環に相当する調芯工具と当接することにより前記嵌合部に対し調芯されることを特徴とする請求項１乃至９のいずれか１項に記載のレンズ鏡筒。
【請求項１１】
光学素子としてのレンズを保持する嵌合部を備え、前記嵌合部には周方向で周辺領域より肉厚が薄い複数の領域が設けられ、前記肉厚が薄い複数の領域に結合用の孔部が備わる鏡筒と、
前記肉厚が薄い複数の領域と前記レンズとの間の空隙に設けられ、前記孔部に挿入される結合部材により前記レンズと当接されるコマ部材と、
前記コマ部材を前記レンズの光軸方向に保持する押え環と、
を有するレンズ鏡筒に前記レンズを組み立てるレンズ組立て方法であって、
前記レンズを前記嵌合部と前記レンズとの間のレンズ間隔調整のための円環状のシート部材と共に前記レンズ鏡筒に挿入する工程と、
前記コマ部材を前記空隙に光軸方向より挿入する工程と、
前記押え環または前記押え環に相当する調芯工具により前記レンズおよび前記コマ部材を固定保持する工程と、
前記孔部に前記結合部材を挿入し、前記コマ部材を前記レンズに当接する工程と、
を有することを特徴とするレンズ鏡筒へのレンズ組立て方法。
【発明の詳細な説明】
【技術分野】
【０００１】
本発明はレンズ鏡筒およびレンズ鏡筒へのレンズ組立て方法に関し、特に光学素子（レンズ）の偏心方向の調整を行う場合のレンズ鏡筒およびレンズ鏡筒へのレンズ組立て方法として好適なものである。
【背景技術】
【０００２】
従来、光学素子（レンズ）を鏡筒に保持する場合、光学性能を確保するために他の光学素子（レンズ）との同軸調整を行うことがあった。そのとき、調整後に強い振動や衝撃が加わった場合も調整時の光学素子の位置を維持し光学性能を維持することが困難であった。
【０００３】
同軸調整に関し、従来は、光学素子に設けられたテーパー面を鏡筒の受け面のテーパー面、または押え環のテーパー面で保持することにより、鏡筒に対しての同軸、調芯を行っていた（特許文献１）。また、樹脂で製作された鏡筒に光学素子を挿入し、光学素子の偏心調整を行った後、鏡筒の先端部を熱カシメすることにより偏心位置、光軸位置を固定するようにしていた（特許文献２）。
【０００４】
その他、鏡筒の外周部より光学素子を固定するように複数のネジを当接することにより偏心位置を保持するような構造や、あるいは偏心調整後に光学素子と鏡筒の間に接着剤を塗布し接着固定する方法が、従来よりあった。
【先行技術文献】
【特許文献】
【０００５】
【特許文献１】特開２０１０−１３４３７８号公報
【特許文献２】特開２００１−５１１７５号公報
【発明の概要】
【発明が解決しようとする課題】
【０００６】
しかしながら、特許文献１に示される構成では、光学素子の同軸位置を保持した後、例えば鏡筒に衝撃が加わると、鏡筒に対して押え環のネジがずれることにより、押え環で保持している光学素子の位置も同様に変化してしまうという問題があった。特に、光学素子が大型であると、衝撃時に押え環が光学素子の重量を支え切ることができなくなることがある。
【０００７】
また、特許文献１では、平面突き当て等で複数の光学素子を一つの押え環で同時に保持する場合、傾斜面で保持できる一方の光学素子は同軸を維持できても、平面で付き当てられるもう一方の光学素子は同軸位置を維持することができないという問題があった。
【０００８】
また、特許文献２に示される構成では、熱カシメにより光学素子を保持することになるため、大型の光学素子を衝撃にも耐えられるように保持することは強度的に難しい。更に、軸位置保持に対しても熱カシメによる鏡筒部分を熱融解することにより成型を行うため、やはり大型の光学素子に対しては強度的に不足となる。
【０００９】
また、特許文献２では、光軸方向の保持と軸方向の保持を同時に熱カシメで行うため、平面突き当てで構成される複数の光学素子を同時に保持しようとする場合、直接熱カシメが掛けられない奥側の光学素子は軸位置を保持することができないという問題があった。
【００１０】
なお、鏡筒の外周部より光学素子を固定するように複数のネジを当接する従来技術では、光学素子に外周からネジによる応力集中が掛かるため、光学素子の面に歪みを発生することがあり、あるいはその状態で落下衝撃が掛ると光学素子が破壊する懸念があった。
【００１１】
また、偏心調整後に光学素子と鏡筒の間に接着剤を塗布し接着固定する従来技術では、修正のために分解する必要が発生した場合、固着した接着材を剥がす必要があり作業が困難である。
【００１２】
本発明の目的は、光学素子としてのレンズを位置調整した後、衝撃等が加わった場合でも安定してレンズの位置を保持できるレンズ鏡筒およびレンズ鏡筒へのレンズ組立て方法を提供することにある。
【課題を解決するための手段】
【００１３】
上記の目的を達成するため、本発明に係わるレンズ鏡筒は、光学素子としてのレンズを保持する嵌合部を備え、前記嵌合部には周方向で周辺領域より肉厚が薄い複数の領域が設けられ、前記肉厚が薄い複数の領域に結合用の孔部が備わる鏡筒と、前記肉厚が薄い複数の領域と前記レンズとの間の空隙に設けられ、前記孔部に挿入される結合部材により前記レンズと当接されるコマ部材と、前記コマ部材を前記レンズの光軸方向に保持する押え環と、を有することを特徴とする。
【発明の効果】
【００１４】
本発明によれば、光学素子としてのレンズを位置調整した後、衝撃等が加わった場合でも安定してレンズの位置を保持できる。
【図面の簡単な説明】
【００１５】
【図１】本発明の第１の実施形態に係るレンズ鏡筒の断面図である。
【図２】第１の実施形態に係るレンズ鏡筒の部分拡大断面図である。
【図３】第１の実施形態に係るレンズ鏡筒の組立途中の平面図である。
【図４】第１の実施形態に係るレンズ鏡筒の分解斜視図である。
【図５】第１の実施形態に係るレンズ鏡筒の構成部品の拡大図である。
【図６】（ａ）、（ｂ）は第１の実施形態に係るレンズ鏡筒の組立手順を示した断面図である。
【図７】第１の実施形態に係るレンズ鏡筒の組み立てられた断面図である。
【図８】本発明の第２の実施形態に係るレンズ鏡筒の部品斜視図である。
【図９】第２の実施形態に係るレンズ鏡筒の部分拡大断面図である。
【発明を実施するための形態】
【００１６】
以下、本発明の好ましい実施形態を、図面を参照して詳細に説明する。
【００１７】
《第１の実施形態》
（レンズ鏡筒）
図１乃至図７において、G１、G２、G３はそれぞれ光学素子としてのレンズであり、Ｇ２とＧ３はマージナルコンタクトで光学素子同士が当接している。４は、それぞれの光学素子（レンズ）を保持するためのレンズ鏡筒である。レンズ鏡筒４には、光学素子（レンズ）を保持する嵌合部４ｄ（図４）としての光学素子胴付き部が備わる。そして、この嵌合部４ｄとそれぞれの光学素子Ｇ１、Ｇ３との間には、レンズ間隔調整のための円環状のシート材１０（図４、図７）、１１（図２、図４、図６（ａ））が配置されている。円環状のシート材１０、はＧ１とＧ２、Ｇ３間のガラス間隔を調整し光学性能を維持するために挿入されている。
【００１８】
レンズ鏡筒４の嵌合部４ｄ（図４）には、周方向で周辺領域より肉厚が薄い複数の領域４ｃ（図６）が設けられ、この肉厚が薄い複数の領域４ｃにネジ孔部４ｂが備わる。そして、上記肉厚が薄い複数の領域とレンズとの間の空隙４ｅにコマ部材７が設けられ、上記ネジ孔部４ｂに挿入される結合部材としてのネジ９がコマ部材７に当接し、更にはコマ部材７がレンズの外形部に当接する。
【００１９】
ここで、レンズ鏡筒の嵌合部４ｄにおける上記肉厚が薄い複数の領域４ｃの内径部は，コマ部材収納部４ａとして機能し、図３に示すように光軸方向から見て例えば互いに対向方向に合計８箇所設けられる。そして、これらのコマ部材収納部４ａと同じ角度位相で、レンズ鏡筒外形から貫通するネジ孔部４ｂが設けられている。なお、レンズ鏡筒４におけるコマ部材収納部４ａとネジ孔部４ｂは、光学素子（レンズ）G１、G２、G３に対応する箇所にそれぞれ同数設けられている。
【００２０】
コマ部材７は樹脂で形成（具体的には樹脂材料で成型）されているが、図５に示すように結合部材としてのネジ９が当接する箇所は金属部材としての金属板が接着により成型部と一体的に固定して設けられている。即ち、コマ部材７には金属板座が設けられており、この金属板座の上に金属板８が接着固定される。
【００２１】
５は光学素子（レンズ）G１およびコマ部材７をレンズの光軸方向にレンズ鏡筒に固定するための第１の押え環であり、６は光学素子（レンズ）G２、G３およびコマ部材７をレンズの光軸方向にまとめて固定するための第２の押え環である。即ち、コマ部材７はレンズの光軸方向にはこれらの押え環で保持固定され、レンズの光軸と直交する方向には上述した結合部材としてのネジとレンズとの間に挟まれて保持固定される。
【００２２】
（レンズ鏡筒へのレンズ組立て方法）
次に、レンズ鏡筒４への光学素子（レンズ）組立て方法に関し、図６（ａ）、図６（ｂ）および図７を用いて説明する。先ず図６（ａ）で、レンズ鏡筒４にシート部材１１と共に光学素子G３を挿入し、さらに金属板８を一体的に固定したコマ部材７をレンズ鏡筒４のコマ部材収納部４ａのそれぞれの箇所（空隙）に光軸方向より挿入する。この状態でレンズ鏡筒４の第２の押え環６用のネジ部に仮押え工具１２（第２の押え環６に相当する調芯工具）を繰り入れ、レンズ鏡筒４に光学素子Ｇ３を保持する。この際、光学素子Ｇ３の傾斜面３ａに仮押え工具１２の傾斜面が当接し、光学素子Ｇ３はネジによる調芯作用によりレンズ鏡筒４の光軸中心に調芯される。
【００２３】
続いてレンズ鏡筒４のネジ孔４ｂに外周方向から止めネジ（ネジ）９を繰り入れ（挿入）、光学素子Ｇ３の外径にコマ部材７が当接するように止めネジ９を繰り込んでいき、Ｇ３の偏心方向の位置を固定する。止めネジ９は、樹脂材料で成型されたコマ部材４に一体的に固定された金属板５に当接するため、樹脂材料であるコマ部材４を止めネジ９が削り込むことはない。
【００２４】
次に図６（ｂ）において、この状態から仮押え工具１２をレンズ鏡筒４から取り外し、光学素子Ｇ２を光学素子Ｇ３に当接するように挿入する。さらに、光学素子Ｇ３の場合と同様にコマ部材収納部４ａのそれぞれの箇所（空隙）に光軸方向より金属板８を一体的に固定されたコマ部材７を挿入する。そして、第２の押え環６により、挿入したコマ部材７の光軸方向の保持を行いつつ光学素子Ｇ２、Ｇ３を同時に保持する。この時、光学素子Ｇ２の光学特性として必要な光学素子研磨面と第２の押え環６の当接面が当接することにより、光学素子Ｇ２はネジによる調芯作用によりレンズ鏡筒４の光軸中心に調芯される。
【００２５】
続いて、光学素子Ｇ３の場合と同様にレンズ鏡筒４の孔部４ｂに外周方向より止めネジ９を繰り入れ（挿入）、光学素子Ｇ２の外径にコマ部材７が当接するまで止めネジ９を繰り込み、光学素子Ｇ２の偏心方向（光軸方向に直交する方向）の位置を固定する。
【００２６】
次に、図７に示すように、光学素子Ｇ１に関しても同様に、レンズ鏡筒４にシート部材１０と共にＧ１を挿入する。更に複数のコマ部材収納部４ａのそれぞれの箇所（空隙）に光軸方向よりにコマ部材７を挿入し、第１の押え環５をレンズ鏡筒４に繰り込みことにより光学素子Ｇ１の保持（固定）を行う。この時、第１の押え環５は挿入したコマ部材４の光軸方向の保持を同時に行っている。Ｇ１の研磨面１ａと第１の押え環５が当接することにより、光学素子Ｇ１はネジによる調芯作用によりレンズ鏡筒４の光軸中心に調芯される。
【００２７】
続いて、光学素子Ｇ３の場合と同様に、レンズ鏡筒４の外周方向よりネジ孔部４ｂに止めネジ９を繰り入れ（挿入）、光学素子Ｇ１の外径にコマ部材７が当接するまで止めネジ９を繰り込んでＧ１の偏心方向の位置を固定する。
【００２８】
以上、レンズ鏡筒にレンズを組み立てるレンズ組立て方法として、本実施形態では、以下の工程を備える。即ち、レンズを嵌合部とレンズとの間の円環状のシート部材と共にレンズ鏡筒に挿入する工程と、コマ部材を前記空隙に光軸方向より挿入する工程と、を備える。更に、押え環または押え環に相当する調芯工具によりレンズおよびコマ部材を固定保持する工程と、前記孔部に前記結合部材を挿入し、コマ部材をレンズに当接する工程と、を有する。
【００２９】
以上により、光学素子Ｇ１、Ｇ２、Ｇ３の光軸をレンズ鏡筒４の光軸中心に揃えつつ、調芯された光軸位置をコマ部材４と止めネジ９により固定保持することが可能となる。即ち、コマ部材７と止めネジ９により、光学素子（レンズ）の光軸方向の位置および光軸垂直方向の位置が固定保持される。
【００３０】
（本実施形態の効果）
以上、本実施形態によれば、レンズ鏡筒４に衝撃や振動が掛った場合でも、安定して組み立てた状態の位置を維持することが可能である。特に、大型の光学素子（レンズ）を位置調整した状態で鏡筒に衝撃が加わった場合でも、光学素子としてのレンズに歪や破壊を発生することなく調整位置を安定して維持できる。更に、本実施形態によれば、解体性も良好なレンズ鏡筒を実現できる。
【００３１】
また、光学素子（レンズ）と直接当接するコマ部材を樹脂材料とする場合、レンズ鏡筒に衝撃が加わった場合でも直接止めネジが光学素子（レンズ）に当接することに比較して、コマ部材で衝撃力をある程度吸収、分散することが可能となる。
【００３２】
《第２の実施形態》
次に、図８、図９により本発明の第２の実施形態について説明する。第１の実施形態と異なっている点は、光学要素Ｇ１、Ｇ２の偏心方向の位置を保持する複数のコマ部材２０ａが可撓性の接続部２０ｃを介して円環部２０ｂに一体的に成型されているという点である。複数のコマ部材２０ａが一体的に接続されているため、レンズ鏡筒の複数のコマ部材収納部のそれぞれの箇所（空隙）に光軸方向よりに一つずつ配置することがなくなって作業性が良好となる。更に可撓性の接続部２０ｃを介して接続されているため、それぞれのコマ部材２０ａを第１の実施形態と同様に独立して止めネジ９により押圧することが可能である。
【００３３】
なお、本実施形態でも第１の実施形態と同様に、押え環は光学素子（レンズ）およびコマ部材２０ｃの光軸方向の位置を固定する機能を備えている。また、第１の実施形態と同様に、円環状に接続されたコマ部材２０ｃには金属板８が樹脂成型されたものに一体的に接着固定されている。
【００３４】
本実施形態では、円環状に一体的に接続されたコマ部材２０ｃは光学素子G１にのみ採用した例としたが、もちろん光学素子G２の位置に用いても良い。更には光学素子G２と光学素子G３に使用するコマ部材２０ｃを可撓性の接続部により一体的に成型された部品としても良い。
【００３５】
（変形例）
以上、本発明の好ましい実施形態について述べたが、本発明はこれに限定されず、本発明の範囲内で種々の変形が可能である。
【００３６】
（変形例１）
上述した実施形態では、コマ部材に固定される金属板は、接着により固定されたが、圧入固定でも、あるいはアウトサートによる成型でも良い。また、金属板を用いる目的がネジによる削れ防止であるため、金属板に限らず硬質な材料による部品であれば良い。
【００３７】
（変形例２）
また、上述した実施形態では、Ｇ２、Ｇ３の光学素子をマージナルコンタクトで当接している形態としているが、これは一方の光学素子が平面、あるいはそれぞれの当接部が平面同士で当接している形状であっても良い。
【００３８】
（変形例３）
また、上述した実施形態では、複数のコマ部材として周方向に８箇所配置したが、これは様々な方向より衝撃が加わった場合に保持できればよいということであり、８箇所よりも多くてもあるいは少なくても良い。
【００３９】
（変形例４）
また、上述した実施形態では、結合用の孔部としてのネジ孔部に結合部材としてのネジを挿入したが、結合用の孔部としての嵌合孔に結合部材としてのピンを挿入するものであっても良い。
【００４０】
（変形例５）
また、上述した実施形態では、２つの光学素子（レンズ）Ｇ２、Ｇ３の同軸調整が行われるレンズ鏡筒として説明すると共に、１つの光学素子（レンズ）Ｇ１を保持するレンズ鏡筒として説明したが、３つ以上の光学素子（レンズ）の場合にも同様に適用できる。
【００４１】
（変形例６）
また、上述した実施形態では、レンズの光学特性として必要な研磨面が、押え環または押え環に相当する調芯工具と当接することにより嵌合部に対し調芯された。しかし、レンズの研磨面以外の外周部の面取り部が、押え環または押え環に相当する調芯工具と当接することにより嵌合部に対し調芯されるものでも良い。
【符号の説明】
【００４２】
４・・レンズ鏡筒、４ａ・・コマ部材収納部、４ｂ・・ネジ孔部、５・・第１の押え環、６・・第２の押え環、７・・コマ部材、Ｇ１、Ｇ２、Ｇ３・・・光学素子（レンズ）
【図１】
2015081922.tif 000003
【図２】
2015081922.tif 000004
【図３】
2015081922.tif 000005
【図４】
2015081922.tif 000006
【図５】
2015081922.tif 000007
【図６】
2015081922.tif 000008
【図７】
2015081922.tif 000009
【図８】
2015081922.tif 000010
【図９】
2015081922.tif 000011